(57)【要約】【課題】  例えば、ポリエステルやポリアミド、ポリオレフィンなどの高分子からなるロール状フィルムの端部に細かい巻きずれがあったとしても、フィルムに折れ曲がりが生じることのない、優れた梱包体を提供する。【解決手段】  巻き芯にフィルムを巻き付けたロール状フィルムの梱包体であって、ロール状フィルムの端面を押さえ付ける側板がないことを特徴とするロール状フィルム梱包体であり、梱包体によって巻き芯が固定されることが好ましい。【選択図】  図１
2013220824.tif 000002
【特許請求の範囲】
【請求項１】
巻き芯にフィルムを巻き付けたロール状フィルムの梱包体であって、ロール状フィルムの端面を押さえ付ける側板がないことを特徴とするロール状フィルム梱包体。
【請求項２】
梱包体によって巻き芯が固定された請求項１に記載のロール状フィルム梱包体。
【発明の詳細な説明】
【技術分野】
【０００１】
本発明は、ポリエステルやポリアミド、ポリオレフィンなどの高分子からなるフィルムを巻き芯に巻き付けてロール形態としたものの梱包体に関するものである。
【背景技術】
【０００２】
ポリエステルやポリアミド、ポリオレフィンなどの高分子からなるフィルムをロール形態で梱包する際、ロール状フィルムの胴面に傷や当てた跡が付かないように、通常ロール状フィルムは宙吊りで保持する方式の梱包体を採用する。
【０００３】
箱での梱包においてロールの端部と側板の間に隙間を設けないことが一般的であり、ロール状フィルムを輸送するに当たって巻きずれを防止する上では有用な手段である。
【０００４】
しかし、フィルムをロール状に巻き上げた際、ロールの端部が巻きずれによりフィルムが数ｍｍ程度はみ出していると、側板が当たることにより巻きずれたフィルムの端部が折れ曲がり、フィルムの加工時にフィルムの端で位置決めができなかったり、塗布加工でコート液がフィルムからはみ出し加工機を汚染したりする問題が生じる。
【先行技術文献】
【特許文献】
【０００５】
【特許文献１】特開２００１−３０５６９７号公報
【発明の概要】
【発明が解決しようとする課題】
【０００６】
本発明は、上記実情に鑑みなされたものであり、その解決課題は、ロール状フィルムの端部に細かい巻きずれがあってもフィルムに折れ曲がりが生じない優れた梱包体を提供することにある。
【課題を解決するための手段】
【０００７】
本発明者は、上記課題を解決するために鋭意検討した結果、特定の構成を有する梱包体によれば、上記課題を容易に解決できることを見いだし、本発明を完成するに至った。
【０００８】
すなわち、本発明の要旨は、巻き芯にフィルムを巻き付けたロール状フィルムの梱包体であって、ロール状フィルムの端面を押さえ付ける側板がないことを特徴とするロール状フィルム梱包体に存する。
【発明の効果】
【０００９】
本発明によれば、巻きずれのあるロール状フィルムにおいてフィルム端部に折り曲がりが生じない梱包体を提供することができ、本発明の工業的価値は高い。
【図面の簡単な説明】
【００１０】
【図１】図１は本発明に係るロール状フィルム梱包体の一実施例の側面図である。
【図２】図２は同上の横断面図を示す図である。
【発明を実施するための形態】
【００１１】
本発明における梱包体は、巻芯とこの巻芯に巻き付けられたロール状フィルムと、ロール状フィルムの周面と側面、巻芯を一括して覆う筒状の防塵フィルムとを具備する。ロール状フィルムの両側面にロール状フィルムの直径よりも高さと幅が長い側板によって巻芯を保持しロール状フィルムが宙吊りとなる構成である。このロール状フィルムは、この両側を保護している側板ごと外箱に装填されるが、側板とロール状フィルムの端面は接触しない構成である。
【００１２】
本発明で使用する巻芯としては、ロール状にフィルムを巻き付ける際の張力に耐えられる公知のものが特別の制限なく用いられる。例えば、外径９０〜３００ｍｍであり、長さは１０００〜２４００ｍｍである。一方、ロール状フィルムは、通常、直径４００〜１０００ｍｍであり、幅９００〜２３００ｍｍである。
【００１３】
本発明の筒状の防塵フィルムとしては、単層のものでも、積層のものでもよく、最終形状が筒状になれば、フィルムをテープなどで固定して筒状にしたものでもよい。巻芯に巻き付けられたロール状フィルムの両側面と周面、巻芯を一括して覆う。
【００１４】
本発明のロール状フィルムは、必要に応じて防湿フィルムで両側面と周面、巻芯を一括して覆ってもよい。この防湿フィルムは単層のものでも、積層のものでもよく、アルミ箔とポリオレフィンを積層したフィルム、アルミを蒸着したフィルムや同等の性能を有するものであればよい。
【００１５】
上記の筒状の防塵フィルムの両端はゴミの侵入を防ぐためにも遮蔽する。その方法として、筒状の防塵フィルムの端部で縛ったり、筒状の防塵フィルムを巻芯に固定したりすることで実現する。その材料としては、輪ゴム、紐、粘着テープなど緩まなければ材料は問わない。
【００１６】
本発明のロール状フィルム梱包体の側板は、ロール状フィルムを宙吊りの状態に保持する役割を持つ。その側板はロール状フィルムを宙吊りの状態で保持できる強度を有していれば、素材は問わない。また、１枚ずつで保持する強度が不足する場合、複数枚ずつ結束して使用してもよい。
【００１７】
本発明のロール状フィルム梱包体の側板は、ロール状フィルムの端部に接しないよう隙間を設ける必要がある。この隙間はロール状フィルムを梱包体に挿入、または取り出すときに、ロール状フィルムが側板に当たらないよう３０ｍｍ以上ずつ必要である。側板は外箱に固定したほうがよい。
【００１８】
ロール状フィルム梱包体の側板はロール状フィルムの端部の直径よりも高さと幅が長い必要がある。ロール状フィルムと同等以下の高さと幅であれば、側板でロール状フィルムを保持できず、胴面が梱包体の底面に当たり、ロール状フィルムに傷や当てた跡が付き、使用に適さない状態となる。
【００１９】
ロール状フィルム梱包体の巻芯の両端は、梱包体の外箱の内壁、または巻芯を保持する役割を持たない側板にて巻芯の長さ方向にずれないように保持する必要がある。巻芯の長さ方向を固定することで、輸送時の揺れによりロール状フィルムが梱包体の中で巻芯ごと荷ずれして、外箱の内壁に当たった際に巻きずれが生じる。また、輸送時の上下方向の揺れに対するロール状フィルムの跳ね上がりを防止するため、巻芯の両端を固定することが好ましい。
【００２０】
本発明のロール状フィルム梱包体の外箱は、箱の形態であれば材質問わない。大きさは、箱がたわんでもロール状フィルムに当たらない程度の隙間が確保できれば問題ない。
【実施例】
【００２１】
以下、本発明を実施例によりさらに詳細に説明するが、本発明はその要旨を越えない限り、以下の実施例に限定されるものではない。
【００２２】
実施例１：
図１において、符号１は巻芯で、巻き付け時の張力に耐えられる強度があれば材質は問わない。この巻芯には従来と同様にフィルムがロール状２に巻き付けられている。ロール状フィルムの周面には、筒状の防塵フィルム３を被せ、その両端をロールの側面に沿って絞り、先端を巻芯にて輪ゴムなどの結束材で縛る。なお、防塵フィルム３は単層または積層フィルムないしシートであってもよい。
【００２３】
この防塵包装された包装体は、図１に示すようにパレット４に固定された外箱５の両側面に固定した巻芯保持用の側板６に載せられる。外箱の端面の板は広がりを防止するために結束材９で縛る。巻芯の両端部は上下方向の揺れによるロール状フィルムの跳ね上がりを防止する押さえ７を固定する。上から蓋８を被せ、包装が完成し、輸送される。
【００２４】
巻芯１は、外径１７７ｍｍであり、長さは２３００ｍｍのプラスチック製であり、ロール状フィルム２は直径５６７ｍｍであり、幅１９５８ｍｍである。筒状の防塵フィルム３は、直径１０８３ｍｍ・長さ３０００ｍｍ・厚さ０．０２５ｍｍ、高圧法ポリエチレン製のものを二枚重ねて使用した。筒状の防塵フィルムの両端は、巻芯にて粘着テープ（図示せず）を用い固定した。パレット４、側板６、外箱５、押さえ７、蓋８は、全て木製である。なお、木材からの水分により梱包体の内部が結露する可能性があるため、乾燥剤を箱の底面に固定した。
【産業上の利用可能性】
【００２５】
本発明の梱包体は、例えば、ロール状フィルムの輸送において好適に利用することができる。
【符号の説明】
【００２６】
１：巻芯
２：ロール状フィルム
３：防塵フィルム
４：パレット
５：外箱
６：側板
７：押さえ
８：蓋
９：結束材
【図１】
2013220824.tif 000003
【図２】
2013220824.tif 000004